(57)【要約】      （修正有）【課題】什器の側面などに複数の商品を吊り下げて陳列する商品陳列具として、複数個を左右方向に並べて使用した場合でも、商品を左右方向に整列した状態で見栄え良く陳列することができるものを提供する。【解決手段】商品陳列具1は、前面に表示部23を有しかつ後面および上端縁に陳列箇所への取付部21,22を有している板状のヘッド2と、ヘッドの下端縁に連なって垂直下方にのびかつ複数の商品保持部31が上下方向に間隔をおいて設けられているストリップ3とを備えている。複数の商品陳列具1を左右方向に並んで連結しうるように、ヘッドの左側縁に嵌合凸部24が設けられているとともに、ヘッドの右側縁に嵌合凸部に嵌め合わせられる嵌合凹部25が設けられている。【選択図】図１
2017012582.tif 000002
【特許請求の範囲】
【請求項１】
前面に表示部を有しかつ後面および上端縁のうち少なくともいずれか一方に陳列箇所への取付部を有している板状のヘッドと、ヘッドの下端縁に連なって垂直下方にのびかつ複数の商品保持部が上下方向に間隔をおいて設けられているストリップとを備えている商品陳列具であって、
複数の商品陳列具を左右方向に並んで連結しうるように、ヘッドの左右側縁のうちいずれか一方の側縁に、第１嵌合部が設けられているとともに、同他方の側縁に、第１嵌合部に嵌め合わせられる第２嵌合部が設けられている、商品陳列具。
【請求項２】
互いに継ぎ合わせられる相欠き継手部のうち一方がヘッドの左側縁に、同他方がヘッドの右側縁に形成されており、両相欠き継手部の前後に向かい合う面のうちいずれか一方の面に、第１嵌合部を構成する嵌合凸部が設けられているとともに、同他方の面に、第２嵌合部を構成しかつ嵌合凸部が嵌め入れられる嵌合凹部が設けられている、請求項１記載の商品陳列具。
【請求項３】
表示部が、表示用カードを収容しうるようにヘッドの前面における左右側縁部および下端縁部を除いた部分に形成されたカード収容凹所と、カード収容凹所に収容された表示用カードを保持しうるようにヘッドの前面における左右側縁部および下端縁部のうち少なくとも左右側縁部の先端縁にカード収容凹所内側に向かって突出状に形成されたカード保持凸部とを備えている、請求項１または２記載の商品陳列具。
【発明の詳細な説明】
【技術分野】
【０００１】
この発明は、スーパーマーケット、コンビニエンスストア、ドラッグストア、ホームセンターなどの店舗において、什器の側面などに、袋入りの食品・雑貨などの比較的小さな商品を吊り下げて陳列するために用いられる商品陳列具に関する。
【０００２】
この明細書において、図１（ｂ）の左側を「前」、同右側を「後」といい、「左右」は、前から見た場合の左右をいうものとする。
【背景技術】
【０００３】
この種の商品陳列具として、前面に表示部を有しかつ後面に陳列箇所への取付用フックを有している板状のヘッドと、ヘッドの下端縁に連なって垂直下方にのびかつ複数の商品保持用フックまたはクリップが上下方向に間隔をおいて設けられているストリップとを備えているものが知られている（例えば下記の特許文献１参照）。
上記の商品陳列具によれば、例えば、ヘッド後面の取付用フックを、陳列箇所である什器のサイドネット等に掛け止めるとともに、ストリップの各フックに商品の包装袋上部にあけられた吊下げ用孔の縁を掛け止めるか、あるいは、ストリップの各クリップに商品の包装袋の上部を挟み止めて保持することにより、複数の商品を上下方向に並んだ状態で吊下げ陳列することができる。
【先行技術文献】
【特許文献】
【０００４】
【特許文献１】実用新案登録第３０７４６６８号公報
【発明の概要】
【発明が解決しようとする課題】
【０００５】
ところで、店舗内では限られた陳列スペースを有効に利用するために、什器のサイドネット等に、上述した複数の商品陳列具を左右方向に並んで取り付け、より多くの商品を陳列することが行われている。
しかしながら、複数の上記商品陳列具を什器のサイドネット等に個別に取り付けた場合、各商品陳列具によって陳列された商品どうしの左右方向の間隔にバラツキが生じやすく、また、商品の一部どうしが重なってしまい、見栄え良く陳列するのが難しいという問題があった。
【０００６】
この発明の目的は、什器の側面などに複数の商品を吊り下げて陳列する商品陳列具として、複数個を左右方向に並べて使用した場合でも、商品を左右方向に整列した状態で見栄え良く陳列することが可能なものを提供することにある。
【課題を解決するための手段】
【０００７】
この発明は、上記の目的を達成するために、以下の態様からなる。
【０００８】
１）前面に表示部を有しかつ後面および上端縁のうち少なくともいずれか一方に陳列箇所への取付部を有している板状のヘッドと、ヘッドの下端縁に連なって垂直下方にのびかつ複数の商品保持部が上下方向に間隔をおいて設けられているストリップとを備えている商品陳列具であって、複数の商品陳列具を左右方向に並んで連結しうるように、ヘッドの左右側縁のうちいずれか一方の側縁に、第１嵌合部が設けられているとともに、同他方の側縁に、第１嵌合部に嵌め合わせられる第２嵌合部が設けられている、商品陳列具。
【０００９】
２）互いに継ぎ合わせられる相欠き継合せ部のうち一方がヘッドの左側縁に、同他方がヘッドの右側縁に形成されており、両相欠き継合せ部の前後に向かい合う面のうちいずれか一方の面に、第１嵌合部を構成する嵌合凸部が設けられているとともに、同他方の面に、第２嵌合部を構成しかつ嵌合凸部が嵌め入れられる嵌合凹部が設けられている、上記１）の商品陳列具。
【００１０】
３）表示部が、表示用カードを収容しうるようにヘッドの前面における左右側縁部および下端縁部を除いた部分に形成されたカード収容凹所と、カード収容凹所に収容された表示用カードを保持しうるようにヘッドの前面における左右側縁部および下端縁部のうち少なくとも左右側縁部の先端縁にカード収容凹所内側に向かって突出状に形成されたカード保持凸部とを備えている、上記１）または２）の商品陳列具。
【発明の効果】
【００１１】
上記１）の商品陳列具にあっては、これを複数用意して、ヘッドどうしが左右方向に並ぶように配置し、隣り合うヘッドの側縁の一方に設けられた第１嵌合部を、同他方に設けられた第２嵌合部に嵌め合わせることにより、複数の商品陳列具が左右並列状に連結一体化される。
したがって、上記１）の商品陳列具によれば、複数を左右並列状に連結した状態で使用することにより、各商品陳列具に陳列された商品どうしの間で、左右方向の間隔にバラツキが生じたり、商品の一部どうしが重なったりすることなく、商品を左右方向に整列した状態で美しく陳列することができる。
【００１２】
上記２）の商品陳列具によれば、ヘッドどうしの連結部分が、相欠き継合せ部によって構成されており、正面から見た際に目に付きにくいため、外観上の一体性が高まって、見栄えがよくなり、また、嵌合凸部と嵌合凹部とが前後方向から嵌め合わせられるため、使用中でも両者の嵌合が外れにくく、連結状態が良好に維持される。
【００１３】
上記３）の商品陳列具によれば、ヘッドの表示部が、ヘッド前面に形成されたカード収容凹所およびカード保持凸部によって構成されているため、陳列する商品が替わっても、それに応じた表示用カードに取り替えれば使用可能となり、また、表示用カードの取替作業も極めて簡単であるので、使い勝手がよい。
【図面の簡単な説明】
【００１４】
【図１】この発明の実施形態に係る商品陳列具の全体構成を示すものであって、（ａ）は正面図、（ｂ）は右側面図、（ｃ）は背面図である。
【図２】同商品陳列具の部分切欠拡大平面図である。
【図３】同商品陳列具を斜め後方から見た部分拡大斜視図である。
【図４】２つの商品陳列具を左右に連結した態様を示す要部拡大正面図である。
【図５】図４のV−V線に沿う部分拡大水平断面図である。
【図６】左右に連結した２つの商品陳列具を使用して商品を陳列する状態を示す正面図である。
【図７】２つの商品陳列具を上下に連結した態様を示す要部拡大正面図である。
【図８】図７のVIII−VIII線に沿う部分拡大水平断面図である。
【図９】２つの商品連結具を背合わせの状態に連結した態様を示す要部拡大側面図である。
【図１０】背合わせにされた２つの商品連結具の連結前の状態を示す平面図である。
【図１１】背合わせの状態で連結された２つの商品陳列具の連結部分を拡大して示す斜視図である。
【発明を実施するための形態】
【００１５】
この発明の実施形態を、図面を参照して以下に説明する。
図１〜図３に示すように、この発明による商品陳列具(1)は、略方形板状のヘッド(2)と、ヘッド(2)の下端縁の中央部に連なって垂直下方にのびた帯板状のストリップ(3)とを備えている。
この商品陳列具(1)は、例えばポリプロピレン樹脂等の合成樹脂を材料として、射出成形等により全体が一体に形成された合成樹脂成形品よりなる。
また、商品陳列具(1)は、好適には、ヘッド(2)およびストリップ(3)が適度の可撓性を有するものとなされている。
【００１６】
ヘッド(2)は、その後面および上端縁に、陳列箇所への取付部(21)(22)を有している。
ヘッド(2)後面の取付部は、それぞれ先端が下方を向いた左右２つの取付用フック(21)よりなり、例えば什器(F)のサイドネット(F1)に掛け止められるようになっている（図６参照）。２つの取付用フック(21)は、ヘッド(2)後面の上部に左右方向に間隔をおいて設けられているが、ヘッド(2)の左右幅中心線から等距離には位置せず、やや左方にずれている。各フック(21)は、ヘッド(2)後面から後方に短くのびた水平基部(211)と、水平基部(211)の先端から弧状連結部を介して前斜め下方にのびかつ側面よりみてヘッド(2)後面とほぼ面一になる位置まで達している傾斜片部(212)とを備えている。傾斜片部(212)の先端は、後方に向かって短く弧状に折り返されている。水平基部(211)とその上方のヘッド(2)後面部分との間には、複数（ここでは３つ）の垂直三角板状補強リブ(213)が、両者にまたがるようにして形成されている。
ヘッド(2)上端縁の取付部は、それぞれフック付き吊下げ紐（図示略）を挿通させるための左右２つの吊下げ紐挿通部(22)よりなる。吊下げ紐挿通部(22)は、ヘッド(2)上端縁の左右両端寄り部分からそれぞれ上方に半円状に突出するように形成されており、その中心部に円形の挿通孔(221)を有している。
ヘッド(2)のサイズは、特に限定されないが、好適には、その左右横幅が、陳列する商品(G)の包装袋(G1)の左右横幅よりもやや大きくなるように設定される（図６参照）。
【００１７】
ヘッド(2)の前面には、表示部(23)が設けられている。表示部(23)は、表示用カード(C)を収容しうるようにヘッド(2)前面における左右側縁部および下端縁部を除いた部分に形成されたカード収容凹所(231)と、カード収容凹所(231)に収容された表示用カード(C)を保持しうるようにヘッド(2)前面における左右側縁部および下端縁部の先端縁にカード収容凹所(231)内に向かって突出状に形成されたカード保持凸部(232)とよりなる。
表示用カード(C)は、例えば板紙やプラスチックシート等によって構成され、その表面に商品に関する情報等が印刷・記入等によって表示されるようになっている。
この表示用カード(C)が、ヘッド(2)前面の上方から、カード収容凹所(231)の底面（後面）と、左右側縁部のカード保持凸部(232)との間に差し込まれて、カード収容凹所(231)内に収容されるとともに、左右側縁部および下端縁部のカード保持凸部(232)によって、カード収容凹所(231)から脱落しないように保持されている（図２，６等参照）。
【００１８】
ヘッド(2)の左側縁に、後面側が断面Ｌ形に切り欠かれた第１相欠き継合せ部(26)が形成されているとともに、ヘッド(2)の右側縁に、第１相欠き継合せ部(26)と継ぎ合わせられるように前面側が断面Ｌ形に切り欠かれた第２相欠き継合せ部(27)が形成されている。
そして、第１相欠き継合せ部(26)の後向き面(261)に、嵌合凸部(24)（第１嵌合部）が形成され、第２相欠き継合せ部(27)の前向き面(271)に、嵌合凸部(24)が嵌め入れられる嵌合凹部(25)（第２嵌合部）が形成されている。
この実施形態では、上下方向に長い３つの嵌合凸部(24)が、第１相欠き継合せ部(26)の後向き面(261)に上下方向に並んで形成されているとともに、これらの嵌合凸部(24)に対応するように、それぞれ上下方向に長い前後貫通状の孔よりなる３つの嵌合凹部(25)が、第２相欠き継合せ部(27)の前向き面(271)に上下方向に並んで形成されている。
各嵌合凸部(24)には、その高さ中間部分(242)が後方にやや突出するように、上下２つの段差(241)が形成されている。また、各嵌合凹部(25)には、嵌合凸部(24)の上下の段差(241)が受けられるように、前向きの上下２つの段差(251)が形成されている（図４参照）。嵌合凸部(24)の高さ中間部分(242)は、嵌合凹部(25)への挿抜が容易となるように、その先端が断面凸弧状となされているとともに、嵌合凹部(25)を構成する孔の左縁と係り合わせられるようにやや左方に膨出している。嵌合凹部(25)を構成する孔があけられるヘッド(2)の右側縁部は、その厚みを確保するために、後面に向かってやや突出するように形成されている。
【００１９】
ヘッド(2)の左右幅中央部における上下両端縁寄り部分には、それぞれ左右２つの嵌合孔(28)が貫通状にあけられている。各嵌合孔(28)は、上下に長い方形状となされている。
【００２０】
ストリップ(3)には、複数（ここでは１０個）の商品保持部(31)が、上下方向に所定間隔おきに形成されている。
各商品保持部は、ストリップ(3)前面に先端上向きに設けられた商品保持用フック(31)よりなる。フック(31)は、ストリップ(3)の前面から前方に短くのびた水平基部(311)と、水平基部(311)の先端から前斜め上方にのびた細長い傾斜片部(312)とを備えている。傾斜片部(312)の先端部分は尖った形状をしている。フック(31)の水平基部(311)とその下方のストリップ(3)前面部分との間には、複数（ここでは２つ）の垂直三角板状補強リブ(313)が、両者にまたがるようにして形成されている。
これらのフック(31)に商品(G)の包装袋(G1)の上部にあけられた吊下げ用孔(G11)の縁がそれぞれ掛け止められることにより、商品(G)が商品陳列具(1)に保持されるようになっている（図６参照）。
なお、商品保持部は、図示のようなフック(31)に限定されず、例えば、商品の包装袋の上部を挟み止めて保持しうるクリップであってもよく、また、クリップとフックとを併設して構成してもよい。
ストリップ(3)のサイズは、特に限定されず、陳列する商品のサイズ・数、陳列箇所である什器のサイドネットのサイズ等に応じて適宜決定すればよい。
【００２１】
ストリップ(3)の下部には、後方に向かって短く突出しかつヘッド(2)の４つの嵌合孔(28)にそれぞれ嵌め入れられる４つの嵌合凸部(33)が、左右側縁部に上下に間隔をおいて形成されている。
各嵌合凸部(33)の先端は、嵌合孔(28)への挿抜が容易となるように、断面凸弧状となされているとともに、嵌合孔(28)の左右方向外側縁と係り合わせられるようにやや左右方向外方に膨出している。
【００２２】
また、ストリップ(3)の長さ中間部には、その左側縁寄り部分に、複数（ここでは３つ）の方形状の係合孔(34)が上下に間隔をおいて形成されているとともに、その右側縁寄り部分における複数の係合孔(34)と同じ高さ位置に、各係合孔(34)に嵌め入れられてその上下縁にそれぞれ係り止められる上下係合突起(35)が形成されている。
【００２３】
図４および図５は、２つの商品連結具(1)を、これらのヘッド(2)どうしが左右に並ぶように連結した態様を示すものである。
具体的に言うと、右側の商品陳列具(1)のヘッド(2)の左側縁に設けられた第１相欠き継合せ部(26)が、左側の商品陳列具(1)のヘッド(2)の右側縁に設けられた第２相欠き継合せ部(27)と継ぎ合わせられているとともに、第１相欠き継合せ部(26)の後向き面(261)に形成された３つの嵌合凸部(24)が、第２相欠き継合せ部(27)の前向き面(271)形成された３つの嵌合凹部(25)にそれぞれ嵌め入れられている。
各嵌合凸部(24)の上下２つの段差(241)は、それぞれ対応する嵌合凹部(25)の上下２つの段差(251)によって受けられている。また、各嵌合凸部(24)の高さ中間部分(242)の先端が、嵌合凹部(25)を構成する孔の左側縁に係り合わせられている。
【００２４】
図６は、左右並列状に連結された２つの商品連結具(1)を使用して、複数の商品(G)を什器(F)のサイドネット(F1)に陳列した状態を示すものである。
まず、一体化された２つの商品陳列具(1)が、これらのヘッド(2)にそれぞれ設けられた取付用フック(21)を什器(F)のサイドネット(F1)における所要高さ位置の水平金属線(F11)に掛け止めることにより、サイドネット(F1)に吊下げ状に取り付けられる。
そして、各商品陳列具(1)のストリップ(3)に設けられた商品保持用フック(31)に、商品(G)の包装袋(G1)の上部にあけられた吊下げ用孔(G11)の縁がそれぞれ掛け止められる。
こうして、図６に示すように、什器(F)のサイドネット(F1)に、複数の商品(G)が、２つの商品陳列具(1)によって吊下げ状に陳列される。この状態において、２つの商品陳列具(1)により陳列されている商品(G)どうしは、左右方向の間隔にバラツキが生じておらず、また、商品(G)の一部どうしも重なっておらず、左右方向に整列した状態で見栄え良く陳列されている。
なお、上記においては、２つの商品陳列具(1)を左右並列状に連結した使用例を示したが、３つ以上の商品陳列具(1)を左右並列状に連結して使用することも勿論可能であり、また、逆に、単体の商品陳列具(1)として使用することも可能である。
【００２５】
図７および図８は、２つの商品連結具(1)を上下に連結した態様を示すものである。
具体的には、一方の商品陳列具(1)のヘッド(2)の４つの嵌合孔(28)に、他方の商品陳列具(1)のストリップ(3)の４つの嵌合凸部(33)を、それぞれヘッド(2)前面側から嵌め入れる。各嵌合凸部(33)の先端は、嵌合孔(28)の左右方向外側縁と係り合わせられている。
以上により、両商品陳列具(1)が縦方向に連結して一体化されるので、例えば、上位の商品陳列具(1)のヘッド(2)に設けられた取付用フック(21)を什器(F)のサイドネット(F1)の水平金属線(F11)に掛け止めることにより、両商品陳列具(1)をサイドネット(F1)に吊下げ状に取り付け、両商品陳列具(1)の商品保持用フック(31)により商品(G)を保持して縦１列に陳列することができる。
【００２６】
図９〜図１１は、２つの商品連結具(1)を背合わせにして連結した態様を示すものである。
具体的には、２つの商品陳列具(1)をこれらの後面どうしが向かい合うように重ね合わせて、一方の商品陳列具(1)のストリップ(3)の３つの係合孔(34)に、他方の商品陳列具(1)のストリップ(3)の３組の上下係合突起(35)を嵌入して係合孔(34)の上下縁にそれぞれ係り止める。
この際、両商品陳列具(1)のヘッド(2)後面の各左右２つの取付用フック(21)は、ヘッド(2)の左右幅中心線に対してやや左方にずれて設けられているため、互いに当接しないようになっている（図１０参照）。したがって、両商品陳列具(1)のヘッド(2)どうしの間隔が小さくなるので、嵩を低減することができる。
一方、両商品陳列具(1)のストリップ(3)については、両商品陳列具(1)を撓ませることにより、後面の上下両端部を除いた長さ中間部どうしを重ね合わせることができるので、前述した通り、各係合孔(34)の上下縁に上下係合突起(35)を係り止めることで、両商品陳列具(1)が背合わせの状態に連結一体化される。
上記態様の両商品陳列具(1)は、例えば、少なくとも一方の商品連結具(1)のヘッド(2)の吊下げ紐挿通部(22)の挿通孔(221)に、フック付き吊下げ紐（図示略）を通して結び付け、当該紐のフックを什器(F)の所要箇所に掛け止めることにより、両商品陳列具(1)を什器(F)に吊下げ状に取り付け、両商品陳列具(1)の商品保持用フック(31)により商品(G)を保持して表裏各縦１列に陳列することができる。
【符号の説明】
【００２７】
(1)：商品陳列具
(2)：ヘッド
(21)：取付用フック（陳列箇所への取付部）
(22)：吊下げ紐挿通部（陳列箇所への取付部）
(23)：表示部
(231)：カード収容凹所
(232)：カード保持凸部
(24)：嵌合凸部（第１嵌合部）
(25)：嵌合凹部（第２嵌合部）
(26)：第１相欠き継合せ部
(27)：第２相欠き継合せ部
(3)：ストリップ
(31)：商品保持用フック（商品保持部）
(C)：表示用カード
(G)：商品
(G1)：包装袋
(F)：什器
(F1)：サイドネット
【図１】
2017012582.tif 000003
【図２】
2017012582.tif 000004
【図３】
2017012582.tif 000005
【図４】
2017012582.tif 000006
【図５】
2017012582.tif 000007
【図６】
2017012582.tif 000008
【図７】
2017012582.tif 000009
【図８】
2017012582.tif 000010
【図９】
2017012582.tif 000011
【図１０】
2017012582.tif 000012
【図１１】
2017012582.tif 000013